(57)【要約】      （修正有）【課題】Ｗ−ＣＤＭＡとＧＳＭの両通信方式の着信の待受け可能な携帯電話において、ＧＳＭ着信の待受けからＷ−ＣＤＭＡ着信の待受けへの切替、又は、Ｗ−ＣＤＭＡ着信の待受けからＧＳＭ着信の待受けへの切替を行う。【解決手段】一定周期毎のＧＳＭ着信の検出の間にＷ−ＣＤＭＡの周波数を検出。Ｗ−ＣＤＭＡの周波数検出中にＧＳＭ側の着信検出タイミングが発生の場合、ＧＳＭ側に切り替え、ＧＳＭ側の着信検出。この時、Ｗ−ＣＤＭＡの周波数検出は中断又は失敗となるため、周波数の中断又は失敗した部分のみの再度の検出で、Ｗ−ＣＤＭＡ側の周波数検出が最後まで完了できるようにする。これで、ＧＳＭ着信の待受け中にＷ−ＣＤＭＡの周波数検出の場合にＷ−ＣＤＭＡ着信の待受けへ移行可能となる。上記処理で、ＧＳＭとＷ−ＣＤＭＡを置き換えることで、Ｗ−ＣＤＭＡ着信の待受け中にＧＳＭ周波数の検出の場合にＧＳＭの着信の待受けへ移行可能となる。【選択図】図１
2006115127.tif 000002
【特許請求の範囲】
【請求項１】
無線通信により信号の送受信を行う無線部と、
前記無線部の周波数帯域をＧＳＭ用又はＷ−ＣＤＭＡ用に切り替える無線切替部と、
前記ＧＳＭに対応し、前記無線切替部を介して前記無線部と信号を送受信する第１ＬＳＩと、
前記Ｗ−ＣＤＭＡに対応し、前記無線切替部を介して前記無線部と信号を送受信する第２ＬＳＩと、
前記信号の着信を検出後、前記無線部を用いて所定の周波数の検出を行い、前記検出した周波数に応じて前記着信の待受けを切り替える制御部と
を具備する
通信装置。
【請求項２】
請求項１に記載の通信装置において、
前記制御部は、前記ＧＳＭ側の着信を検出する一定周期の合間に、前記Ｗ−ＣＤＭＡ側の周波数の検出を行う
通信装置。
【請求項３】
請求項２に記載の通信装置において、
前記制御部は、前記Ｗ−ＣＤＭＡ側の周波数の検出ができない場合、又は、前記Ｗ−ＣＤＭＡ側の周波数の検出中に前記ＧＳＭ側の着信検出が発生して前記Ｗ−ＣＤＭＡ側の周波数の検出が中断又は失敗した場合、再度、前記Ｗ−ＣＤＭＡ側の周波数の検出を実施する
通信装置。
【請求項４】
請求項２又は３に記載の通信装置において、
前記制御部は、前記Ｗ−ＣＤＭＡ側の周波数検出ができた場合、前記ＧＳＭ側の着信の待受けを停止して前記Ｗ−ＣＤＭＡ側の着信の待受けへ移行する
通信装置。
【請求項５】
請求項１に記載の通信装置において、
前記制御部は、前記Ｗ−ＣＤＭＡ側の着信を検出する一定周期の合間に、前記ＧＳＭ側の周波数の検出を行う
通信装置。
【請求項６】
請求項４に記載の通信装置において、
前記制御部は、前記ＧＳＭ側の周波数の検出ができない場合、又は、前記ＧＳＭ側の周波数の検出中に前記Ｗ−ＣＤＭＡ側の着信検出が発生して前記ＧＳＭ側の周波数の検出が中断又は失敗した場合、再度、前記ＧＳＭ側の周波数の検出を実施する
通信装置。
【請求項７】
請求項５又は６に記載の通信装置において、
前記制御部は、前記ＧＳＭ側の周波数検出ができた場合、前記Ｗ−ＣＤＭＡ側の着信の待受けを停止して前記ＧＳＭ側の着信の待受けへ移行する
通信装置。
【請求項８】
ＧＳＭ側の着信を検出する一定周期の合間に、Ｗ−ＣＤＭＡ側の周波数の検出を行うステップを具備する
通信方法。
【請求項９】
請求項８に記載の通信方法において、
前記Ｗ−ＣＤＭＡ側の周波数の検出ができない場合、又は、前記Ｗ−ＣＤＭＡ側の周波数の検出中に前記ＧＳＭ側の着信検出が発生して前記Ｗ−ＣＤＭＡ側の周波数の検出が中断又は失敗した場合、再度、前記Ｗ−ＣＤＭＡ側の周波数の検出を実施するステップを具備する
通信方法。
【請求項１０】
請求項８又は９に記載の通信方法において、
前記Ｗ−ＣＤＭＡ側の周波数検出ができた場合、前記ＧＳＭ側の着信の待受けを停止して前記Ｗ−ＣＤＭＡ側の着信の待受けへ移行するステップを具備する
通信方法。
【請求項１１】
Ｗ−ＣＤＭＡ側の着信を検出する一定周期の合間に、ＧＳＭ側の周波数の検出を行うステップを具備する
通信方法。
【請求項１２】
請求項１１に記載の通信方法において、
前記ＧＳＭ側の周波数の検出ができない場合、又は、前記ＧＳＭ側の周波数の検出中に前記Ｗ−ＣＤＭＡ側の着信検出が発生して前記ＧＳＭ側の周波数の検出が中断又は失敗した場合、再度、前記ＧＳＭ側の周波数の検出を実施するステップを具備する
通信方法。
【請求項１３】
請求項１１又は１２に記載の通信方法において、
前記ＧＳＭ側の周波数検出ができた場合、前記Ｗ−ＣＤＭＡ側の待受けを停止して前記ＧＳＭ側の待受けへ移行するステップを具備する
通信方法。
【請求項１４】
ＧＳＭ側の着信を検出する一定周期の合間に、Ｗ−ＣＤＭＡ側の周波数の検出を行うステップを具備する
通信プログラム。
【請求項１５】
請求項１４に記載の通信プログラムにおいて、
前記Ｗ−ＣＤＭＡ側の周波数の検出ができない場合、又は、前記Ｗ−ＣＤＭＡ側の周波数の検出中に前記ＧＳＭ側の着信検出が発生して前記Ｗ−ＣＤＭＡ側の周波数の検出が中断又は失敗した場合、再度、前記Ｗ−ＣＤＭＡ側の周波数の検出を実施するステップを具備する
通信プログラム。
【請求項１６】
請求項１４又は１５に記載の通信プログラムにおいて、
前記Ｗ−ＣＤＭＡ側の周波数検出ができた場合、前記ＧＳＭ側の待受けを停止して前記Ｗ−ＣＤＭＡ側の待受けへ移行するステップを具備する
通信プログラム。
【請求項１７】
Ｗ−ＣＤＭＡ側の着信を検出する一定周期の合間に、ＧＳＭ側の周波数の検出を行うステップを具備する
通信プログラム。
【請求項１８】
請求項１７に記載の通信プログラムにおいて、
前記ＧＳＭ側の周波数の検出ができない場合、又は、前記ＧＳＭ側の周波数の検出中に前記Ｗ−ＣＤＭＡ側の着信検出が発生して前記ＧＳＭ側の周波数の検出が中断又は失敗した場合、再度、前記ＧＳＭ側の周波数の検出を実施するステップを具備する
通信プログラム。
【請求項１９】
請求項１７又は１８に記載の通信プログラムにおいて、
前記ＧＳＭ側の周波数検出ができた場合、前記Ｗ−ＣＤＭＡ側の待受けを停止して前記ＧＳＭ側の待受けへ移行するステップを具備する
通信プログラム。
【発明の詳細な説明】
【技術分野】
【０００１】
本発明は、Ｗ−ＣＤＭＡの着信の待受けとＧＳＭの着信の待受けとの切替が可能な通信装置、通信方法及び通信プログラムに関する。
【背景技術】
【０００２】
Ｗ−ＣＤＭＡ方式とＧＳＭ方式の両方に対応した通信装置として携帯電話を例に挙げて説明する。但し、本発明は携帯電話に限定するものではなく、Ｗ−ＣＤＭＡ／ＧＳＭ方式を用いて無線通信を行う通信装置であれば良い。
【０００３】
携帯電話は無線通信を利用した、持ち歩ける電話機であり、基地局と呼ばれる有線ネットワークとの中継点と電話機が無線で通信し、さまざまな通信サービスを移動しながらにして受けられる。携帯電話は基地局との間の通信方式によって世代が分けられており、現在までに市販された携帯電話は大きく分けると３世代になる。
【０００４】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）は、第２世代にあたる通信方式である。第２世代の携帯電話（２Ｇ）では通信のデジタル化やＴＤＭＡ（時分割多元接続）方式の採用が行われ、電波の利用効率が大幅に改善された。また、電話機の軽量化や低価格化も第２世代で急激に進んだ。
【０００５】
また、ＧＳＭは、デジタル携帯電話に使われている無線通信方式の１つである。ヨーロッパやアジアを中心に１００ヶ国以上で利用されており、デジタル携帯電話の事実上の世界標準である。８００ＭＨｚの周波数帯を利用する。なお、１．８ＧＨｚの周波数帯を利用するように修正したものをＤＣＳ１８００（Ｄｉｇｉｔａｌ  Ｃｏｍｍｕｎｉｃａｔｉｏｎ  Ｓｙｓｔｅｍ  １８００）という。
【０００６】
そして、第３世代の携帯電話（３Ｇ）ではＣＤＭＡ（Ｃｏｄｅ  Ｄｉｖｉｓｉｏｎ  Ｍｕｌｔｉｐｌｅ  Ａｃｃｅｓｓ）方式を採用することにより、雑音や途切れの少ない会話が可能になり、データ通信でも最高で３８４ｋｂｐｓ程度という、２Ｇでは実現不可能な高速通信が可能になった。
【０００７】
ＣＤＭＡは、携帯電話サービスを実現するための移動体通信方式の１つである。ＣＤＭＡでは、通信を行う端末を識別するために、それぞれにユニークなデジタル・コードを割り当て、このコードを端末と基地局で共有することで、複数の端末が同時に通信を行えるようにする。
【０００８】
携帯電話などのワイヤレス通信サービスを実現するには、限りある通信用の帯域を効率よく多重化して、複数の端末（携帯電話機）が同時に通信を行えるようにしなければならない。ＣＤＭＡでは、通信エリア内の対応端末で同一の周波数を共有しながら、通信を行う各端末にユニークなデジタル・コードを割り当て、これによって端末と基地局が通信できるようにしている。このＣＤＭＡ方式のメリットとしては、同帯域でより多くの端末を収容できること（アナログ携帯電話の８〜１０倍、ＣＤＭＡ以前のデジタル携帯電話の４〜５倍といわれる）、通話品質が高いこと、すべてのセクタとセルで同一の周波数を使用するため、システム設計がより単純であること、通話の秘匿性が高いこと、より少ない基地局で広範囲な通信可能エリアを確保できること、が挙げられる。
【０００９】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）はＣＤＭＡの一種であり、第３世代携帯電話（３Ｇ）の通信方式である。Ｗ−ＣＤＭＡは、高速移動時１４４ｋｂｐｓ、歩行時３８４ｋｂｐｓ、静止時２Ｍｂｐｓのデータ伝送能力があり、動画・音声によるリアルタイムの通信が可能である。ＣＤＭＡ方式を採用し、１つの周波数を複数の利用者で共有できるため、周波数効率が良い。Ｗ−ＣＤＭＡの特徴は、その名のとおり広い帯域を使用することで、データ転送速度や通話音質を高めるというメリットを得ている。
【００１０】
Ｗ−ＣＤＭＡ方式とＧＳＭ方式を共用する通信装置において、ＧＳＭの着信の待受けを実施している場合に、Ｗ−ＣＤＭＡの周波数検出を行うと、ＧＳＭ側の着信を検出できなくなり、Ｗ−ＣＤＭＡの周波数検出が終了するまで、着信不可の区間が発生してしまう。
【００１１】
Ｗ−ＣＤＭＡ方式とＧＳＭ方式を共用する携帯電話機についての従来技術には、各方式に対応して動作する発振器の周波数帯域を変更して、特にＷ−ＣＤＭＡ方式における発振器の消費電流を少なくするというものがある（特許文献１参照）。
【００１２】
また、その他の従来技術として、待受時に、複数の異なる通信システムを自動的に切り替えると共に、発呼操作時に、最適な通信システムを選択することにより操作性を向上させるというものがある（特許文献２参照）。
【００１３】
【特許文献１】特開２００４−８８４０１
【特許文献２】特開平１１−２５２００６
【発明の開示】
【発明が解決しようとする課題】
【００１４】
本発明の目的は、Ｗ−ＣＤＭＡとＧＳＭの両方のシステムに対して待受け可能な通信装置、通信方法及び通信プログラムを提供することである。
本発明の他の目的は、ＧＳＭの着信の待受け中にＷ−ＣＤＭＡの周波数を検出し、Ｗ−ＣＤＭＡの着信の待受けへ移行する通信装置、通信方法及び通信プログラムを提供することである。
本発明の他の目的は、Ｗ−ＣＤＭＡの着信の待受け中にＧＳＭの周波数を検出し、ＧＳＭの着信の待受けへ移行する通信装置、通信方法及び通信プログラムを提供することである。
【課題を解決するための手段】
【００１５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１６】
本発明の通信装置は、無線通信により信号の送受信を行う無線部（１）と、前記無線部（１）の周波数帯域をＧＳＭ用又はＷ−ＣＤＭＡ用に切り替える無線切替部（２）と、前記ＧＳＭに対応し、前記無線切替部（２）を介して前記無線部（１）と信号を送受信する第１ＬＳＩ（３）と、前記Ｗ−ＣＤＭＡに対応し、前記無線切替部（２）を介して前記無線部（１）と信号を送受信する第２ＬＳＩ（４）と、前記信号の着信を検出後、前記無線部（１）を用いて所定の周波数の検出を行い、前記検出した周波数に応じて前記着信の待受けを切り替える制御部（５）とを具備する。
【００１７】
前記制御部（５）は、前記ＧＳＭ側の着信を検出する一定周期の合間に、前記Ｗ−ＣＤＭＡ側の周波数の検出を行う。
【００１８】
前記制御部（５）は、前記Ｗ−ＣＤＭＡ側の周波数の検出ができない場合、又は、前記Ｗ−ＣＤＭＡ側の周波数の検出中に前記ＧＳＭ側の着信検出が発生して前記Ｗ−ＣＤＭＡ側の周波数の検出が中断又は失敗した場合、再度、前記Ｗ−ＣＤＭＡ側の周波数の検出を実施する。
【００１９】
前記制御部（５）は、前記Ｗ−ＣＤＭＡ側の周波数検出ができた場合、前記ＧＳＭ側の着信の待受けを停止して前記Ｗ−ＣＤＭＡ側の着信の待受けへ移行する。
【００２０】
前記制御部（５）は、前記Ｗ−ＣＤＭＡ側の着信を検出する一定周期の合間に、前記ＧＳＭ側の周波数の検出を行う。
【００２１】
前記制御部（５）は、前記ＧＳＭ側の周波数の検出ができない場合、又は、前記ＧＳＭ側の周波数の検出中に前記Ｗ−ＣＤＭＡ側の着信検出が発生して前記ＧＳＭ側の周波数の検出が中断又は失敗した場合、再度、前記ＧＳＭ側の周波数の検出を実施する。
【００２２】
前記制御部（５）は、前記ＧＳＭ側の周波数検出ができた場合、前記Ｗ−ＣＤＭＡ側の着信の待受けを停止して前記ＧＳＭ側の着信の待受けへ移行する。
【００２３】
本発明の通信方法及び通信プログラムは、ＧＳＭ側の着信を検出する一定周期の合間に、Ｗ−ＣＤＭＡ側の周波数の検出を行うステップを具備する。
【００２４】
本発明の通信方法及び通信プログラムは、前記Ｗ−ＣＤＭＡ側の周波数の検出ができない場合、又は、前記Ｗ−ＣＤＭＡ側の周波数の検出中に前記ＧＳＭ側の着信検出が発生して前記Ｗ−ＣＤＭＡ側の周波数の検出が中断又は失敗した場合、再度、前記Ｗ−ＣＤＭＡ側の周波数の検出を実施するステップを具備する。
【００２５】
本発明の通信方法及び通信プログラムは、前記Ｗ−ＣＤＭＡ側の周波数検出ができた場合、前記ＧＳＭ側の待受けを停止して前記Ｗ−ＣＤＭＡ側の待受けへ移行するステップを具備する。
【００２６】
本発明の通信方法及び通信プログラムは、Ｗ−ＣＤＭＡ側の着信を検出する一定周期の合間に、ＧＳＭ側の周波数の検出を行うステップを具備する。
【００２７】
本発明の通信方法及び通信プログラムは、前記ＧＳＭ側の周波数の検出ができない場合、又は、前記ＧＳＭ側の周波数の検出中に前記Ｗ−ＣＤＭＡ側の着信検出が発生して前記ＧＳＭ側の周波数の検出が中断又は失敗した場合、再度、前記ＧＳＭ側の周波数の検出を実施するステップを具備する。
【００２８】
本発明の通信方法及び通信プログラムは、前記ＧＳＭ側の周波数検出ができた場合、前記Ｗ−ＣＤＭＡ側の待受けを停止して前記ＧＳＭ側の待受けへ移行するステップを具備する。
【発明の効果】
【００２９】
ＧＳＭの着信の待受け中にＷ−ＣＤＭＡの周波数を検出し、Ｗ−ＣＤＭＡの着信の待受けへ移行することを可能にする。
Ｗ−ＣＤＭＡの着信の待受け中にＧＳＭの周波数を検出し、ＧＳＭの着信の待受けへ移行することを可能にする。
Ｗ−ＣＤＭＡの周波数検出中にもＧＳＭ側の着信検出タイミングが発生した場合は周波数をＧＳＭ側に切り替えて、ＧＳＭ側の着信検出を行うことを可能にする。
ＧＳＭの周波数検出中にもＷ−ＣＤＭＡ側の着信検出タイミングが発生した場合は周波数をＷ−ＣＤＭＡ側に切り替えて、Ｗ−ＣＤＭＡ側の着信検出を行うことを可能にする。
ＧＳＭ側の着信検出を行うことで、Ｗ−ＣＤＭＡ側の検出が中断又は失敗した部分のみ、再度検出を行うことで、Ｗ−ＣＤＭＡ側の検出が最後まで完了できるようにする。
Ｗ−ＣＤＭＡ側の着信検出を行うことで、ＧＳＭ側の検出が中断又は失敗した部分のみ、再度検出を行うことで、ＧＳＭ側の検出が最後まで完了できるようにする。
【発明を実施するための最良の形態】
【００３０】
以下に本発明の第１実施形態について添付図面を参照して説明する。
図１を参照して本発明に関する通信装置の構成について説明する。
なお、本発明の通信装置は、携帯電話やＰＨＳに代表される携帯端末に限定するものではなく、Ｗ−ＣＤＭＡ／ＧＳＭ方式を用いて無線通信を行うことが可能な中継機や受信機、測定器、情報家電、その他の無線通信装置であっても良い。
【００３１】
本発明の通信装置は、無線機１、無線機切替装置２、ベースバンドＬＳＩ３、ベースバンドＬＳＩ４、ＣＰＵ５、メモリ６を備えている。
【００３２】
無線機１は、無線により外部の基地局、中継機、又は他の通信装置と信号の送受信を行う装置又は回路である。無線機１はアンテナも含んでいる。無線機切替装置２は、ＣＤＭＡ／ＧＳＭ用に無線機１の周波数帯域の切替を行う装置である。なお、Ｗ−ＣＤＭＡはＣＤＭＡ方式の１つである。ベースバンドＬＳＩ３及びベースバンドＬＳＩ４は、無線機切替装置２を介して無線機１と通信する装置又は回路である。デジタル信号変復調処理も行う。具体的には、ベースバンドＬＳＩ３及びベースバンドＬＳＩ４は、通信機器の無線回路をモジュールとしてまとめた無線機１に相当する部品であるＲＦ（Ｒａｄｉｏ  Ｆｒｅｑｕｅｎｃｙ）モジュールからデジタル信号を受信し、規格に従ったパケット処理やエラー信号処理を行って受信データを抽出したり、送信したいデータに制御信号等の付加等を行った後、ＲＦモジュールへ送出したりする。ここでは、ベースバンドＬＳＩ３をＣＤＭＡ用、ベースバンドＬＳＩ４をＧＳＭ用としている。ＣＰＵ５は、各装置の制御やデータの計算・加工を行う中枢部分であり、ここでは、無線機切替装置２、ベースバンドＬＳＩ３及びベースバンドＬＳＩ４の制御を行っている。メモリ６は、データやプログラムを記憶する記憶装置である。通信装置自体が不揮発性の記憶領域を備えている場合、その記憶領域も含む。
【００３３】
無線機１で受信したＷ−ＣＤＭＡ／ＧＳＭの着信は、無線機切替装置２を介して、Ｗ−ＣＤＭＡの着信であればベースバンドＬＳＩ３に、ＧＳＭの着信であればベースバンドＬＳＩ４に送られる。ＣＰＵ５は、ベースバンドＬＳＩ３／ベースバンドＬＳＩ４を介してＷ−ＣＤＭＡ／ＧＳＭの着信の検出を行う。また、ＣＰＵ５が無線機切替装置２を制御することも可能である。ＣＰＵ５が周波数検出処理を行うためにプログラムを使用する場合、当該プログラムはメモリ６から呼び出され実行される。
【００３４】
無線機切替装置２は、Ｗ−ＣＤＭＡ／ＧＳＭ用に無線機１の周波数帯域の切替を行い、無線機１は、周波数帯域に従ってＷ−ＣＤＭＡ／ＧＳＭの着信を検出する。また、無線機１は、Ｗ−ＣＤＭＡ／ＧＳＭの着信検出を行っていない間に、周囲の電波に対して周波数検出を行っている。ここでいう周波数検出には、無線機１が検知可能な全ての周波数帯域のうちから所定の周波数を検出する場合も含まれる。
【００３５】
なお、本発明での無線機は１つである。但し、これは、本発明の通信装置が無線機を少なくとも１つ備えているということであり、本発明の通信装置が無線機を複数備えていても良い。ここでは、無線機は１つであるため、Ｗ−ＣＤＭＡ／ＧＳＭの周波数検出は非同期で同時に実施されるのではなく、無線機切替装置２が無線機１の周波数帯域の排他制御を実施しながら周波数検出を行う。無線機１は、Ｗ−ＣＤＭＡ又はＧＳＭのいずれか一方の周波数検出を行い、両方の周波数検出を同時に実施しない。
【００３６】
図２に示す受信タイミング関連図を用いて、ＧＳＭの着信の待受け中にＷ−ＣＤＭＡの周波数を検出し、Ｗ−ＣＤＭＡの着信の待受けへ移行する場合について説明する。
【００３７】
ＣＰＵ５はＧＳＭの着信の検出を開始する。このとき、無線機１の検出する周波数帯域は、無線機切替装置２によりＧＳＭ側の周波数に設定されている。これにより、無線機１はＧＳＭ側の着信を受信する。ＣＰＵ５は、ＧＳＭ側の着信を一定周期で検出する。具体的には、ＣＰＵ５が通信装置のハードウェア機能であるタイマ割り込みの周期に従って一定周期で着信の検出を行う。一定周期の間隔については、始めからメモリ６に値を設定しておいても良いし、又は、基地局から送られてくる信号に含まれるパラメータをＣＰＵ５が取得し、ＣＰＵ５がそのパラメータをもとに計算した値を使用しても良い。この値に基づいたハードウェアからのタイマ割り込みによりＣＰＵ５は着信の検出を実行する。なお、ＣＰＵ５にタイマ割り込み処理を実行させるためのプログラムを用いる場合、当該プログラムはメモリ６に格納される。
【００３８】
無線機１は、ＧＳＭ側の着信検出タイミングの合間に他の周波数の検出を行っている。具体的には、ＣＰＵ５がＧＳＭ側の着信を検出した後、次の着信検出を行うまでの間、無線機１は外部の電磁波を探索し目的の周波数を検出する。ここで、外部の電磁波の探索とは、無線機１で受信可能な全ての周波数帯域のうちから所望の周波数を検出する場合も含まれる。ここでは、ＧＳＭ側の着信検出タイミングの合間に、ＣＰＵ５はＷ−ＣＤＭＡの周波数検出を実施する。
【００３９】
ＣＰＵ５は、Ｗ−ＣＤＭＡ側の周波数検出時間が長いため、Ｗ−ＣＤＭＡ側の周波数検出中にＧＳＭ側の着信検出タイミングが発生する場合、Ｗ−ＣＤＭＡ側の周波数検出が途中であってもＧＳＭ側の着信検出に切り替える。このとき、Ｗ−ＣＤＭＡ側の周波数検出が中断又は失敗となるので、無線機１は次回の周波数検出の際、検出が中断又は失敗したＷ−ＣＤＭＡ側の周波数の再検出を行う。Ｗ−ＣＤＭＡ側の周波数が検出できた場合、ＣＰＵ５はＧＳＭ側の着信の待受け処理からＷ−ＣＤＭＡ側の着信の待受け処理へ移行する。なお、待受け切替の際、ＣＰＵ５が無線機切替装置２を介して無線機１の周波数帯域の切替を行っても良い。
【００４０】
ＣＰＵ５は、Ｗ−ＣＤＭＡの周波数を検出した場合、Ｗ−ＣＤＭＡの報知情報を取得する処理に遷移する。ＣＰＵ５は、報知情報の取得が完了しなかった場合、検出が中断又は失敗した報知情報に対してのみ、再度、報知情報の検出を実施するようにしても良い。
【００４１】
なお、報知情報とは、下りチャネルでシステム情報をセル全域に報知するために使用される信号である。通信装置は基地局から通知されている報知情報に関して、必要な情報を全て受信することで基地局への待ち受けを可能とする。システム情報が変更される場合も報知情報で通知される。
【００４２】
図３にＧＳＭの着信の待受け中のＷ−ＣＤＭＡ検出フローを示す。ここでは、一定周期で行われているＧＳＭ側の着信検出の合間にＷ−ＣＤＭＡ側の周波数検出を実施する。
無線機１は、ＧＳＭ側の着信の検出が行われていない間にＷ−ＣＤＭＡ側の周波数を検出する処理を行う（ステップＳ３０１）。
ＣＰＵ５は、無線機１がＷ−ＣＤＭＡ側の周波数を検出できたか否かについての判定を実施する（ステップＳ３０２）。
ステップＳ３０２にて、無線機１は、Ｗ−ＣＤＭＡ側の周波数検出ができなかった場合、及び、Ｗ−ＣＤＭＡ側の周波数検出が中断又は失敗した場合、再度Ｗ−ＣＤＭＡ側の周波数検出を実施する（ステップＳ３０１に戻る）。なお、周波数検出の再実施は、一定時間経過後又はＧＳＭ側の次の着信検出後であっても良い。
ステップＳ３０２にて、無線機１がＷ−ＣＤＭＡ側の周波数を検出できた場合、ベースバンドＬＳＩ３がＷ−ＣＤＭＡ側の周波数に基づいてデジタル信号変復調処理を行い、ＣＰＵ５はベースバンドＬＳＩ３を介して得られたデジタル信号からＷ−ＣＤＭＡの報知情報を取得する処理に遷移する（ステップＳ３０３）。
ＣＰＵ５は報知情報取得が完了したか否かについての判定を実施する（ステップＳ３０４）。
ステップＳ３０４にて、ＣＰＵ５は、報知情報取得ができなかった場合、又は、報知情報取得が中断又は失敗して報知情報取得が完了していなかった場合、再度Ｗ−ＣＤＭＡの報知情報を取得する処理に遷移する（ステップＳ３０３に戻る）。この処理は報知情報取得が完了するまで行われる。但し、この間も一定周期毎のＧＳＭ側の着信検出を継続していても良い。ＧＳＭ側の着信検出時は報知情報取得が中断されるようにしても良い。
ステップＳ３０４にて、ＣＰＵ５は、報知情報取得が完了していた場合、ＧＳＭの着信の待受け処理を停止する（ステップＳ３０５）。
その後、ＣＰＵ５は、ＧＳＭの着信の待受け処理からＷ−ＣＤＭＡの着信の待受け処理に切り替え、Ｗ−ＣＤＭＡの着信の待受け処理を開始する（ステップＳ３０６）。
【００４３】
ここまで、ＧＳＭの着信の待受け中にＷ−ＣＤＭＡの周波数を検出し、Ｗ−ＣＤＭＡの着信の待受けへ移行することについて説明してきたが、逆に、Ｗ−ＣＤＭＡの着信の待受け中にＧＳＭの周波数を検出し、ＧＳＭの着信の待受けへ移行することも可能である。
以下にその具体的な内容について詳述する。
【００４４】
図４に示す受信タイミング関連図を用いて、Ｗ−ＣＤＭＡの着信の待受け中にＧＳＭの周波数を検出し、ＧＳＭの着信の待受けへ移行する場合について説明する。
【００４５】
ＣＰＵ５はＷ−ＣＤＭＡの着信の検出を開始する。このとき、無線機１の検出する周波数帯域は、無線機切替装置２によりＷ−ＣＤＭＡ側の周波数に設定されている。これにより、無線機１はＷ−ＣＤＭＡ側の着信を受信する。ＣＰＵ５は、Ｗ−ＣＤＭＡ側の着信を一定周期で検出する。具体的には、ＣＰＵ５が通信装置のハードウェア機能であるタイマ割り込みの周期に従って一定周期で着信の検出を行う。一定周期の間隔については、始めからメモリ６に値を設定しておいても良いし、又は、基地局から送られてくる信号に含まれるパラメータをＣＰＵ５が取得し、ＣＰＵ５がそのパラメータをもとに計算した値を使用しても良い。この値に基づいたハードウェアからのタイマ割り込みによりＣＰＵ５は着信の検出を実行する。なお、ＣＰＵ５にタイマ割り込み処理を実行させるためのプログラムを用いる場合、当該プログラムはメモリ６に格納される。
【００４６】
無線機１は、Ｗ−ＣＤＭＡ側の着信検出タイミングの合間に他の周波数の検出を行っている。具体的には、ＣＰＵ５がＷ−ＣＤＭＡ側の着信を検出した後、次の着信検出を行うまでの間、無線機１は外部の電磁波を探索し目的の周波数を検出する。ここで、外部の電磁波の探索とは、無線機１で受信可能な全ての周波数帯域のうちから所望の周波数を検出する場合も含まれる。ここでは、Ｗ−ＣＤＭＡ側の着信検出タイミングの合間に、ＣＰＵ５はＧＳＭの周波数検出を実施する。
【００４７】
ＣＰＵ５は、ＧＳＭ側の周波数検出時間が長いため、ＧＳＭ側の周波数検出中にＷ−ＣＤＭＡ側の着信検出タイミングが発生する場合、ＧＳＭ側の周波数検出が途中であってもＷ−ＣＤＭＡ側の着信検出に切り替える。このとき、ＧＳＭ側の周波数検出が中断又は失敗となるので、無線機１は次回の周波数検出の際、検出が中断又は失敗したＧＳＭ側の周波数の再検出を行う。ＧＳＭ側の周波数が検出できた場合、ＣＰＵ５はＷ−ＣＤＭＡ側の着信の待受け処理からＧＳＭ側の着信の待受け処理へ移行する。なお、待受け切替の際、ＣＰＵ５が無線機切替装置２を介して無線機１の周波数帯域の切替を行っても良い。
【００４８】
ＣＰＵ５は、ＧＳＭの周波数を検出した場合、ＧＳＭの報知情報を取得する処理に遷移する。ＣＰＵ５は、報知情報の取得が完了しなかった場合、検出が中断又は失敗した報知情報に対してのみ、再度、報知情報の検出を実施するようにしても良い。
【００４９】
なお、報知情報とは、下りチャネルでシステム情報をセル全域に報知するために使用される信号である。通信装置は基地局から通知されている報知情報に関して、必要な情報を全て受信することで基地局への待ち受けを可能とする。システム情報が変更される場合も報知情報で通知される。
【００５０】
図５にＷ−ＣＤＭＡの着信の待受け中のＧＳＭ検出フローを示す。ここでは、一定周期で行われているＷ−ＣＤＭＡ側の着信検出の合間にＧＳＭ側の周波数検出を実施する。
無線機１は、Ｗ−ＣＤＭＡ側の着信の検出が行われていない間にＧＳＭ側の周波数を検出する処理を行う（ステップＳ５０１）。
ＣＰＵ５は、無線機１がＧＳＭ側の周波数を検出できたか否かについての判定を実施する（ステップＳ５０２）。
ステップＳ５０２にて、無線機１は、ＧＳＭ側の周波数検出ができなかった場合、及び、ＧＳＭ側の周波数検出が中断又は失敗した場合、再度ＧＳＭ側の周波数検出を実施する（ステップＳ５０１に戻る）。なお、周波数検出の再実施は、一定時間経過後又はＷ−ＣＤＭＡ側の次の着信検出後であっても良い。
ステップＳ５０２にて、無線機１がＧＳＭ側の周波数を検出できた場合、ベースバンドＬＳＩ４がＧＳＭ側の周波数に基づいてデジタル信号変復調処理を行い、ＣＰＵ５はベースバンドＬＳＩ４を介して得られたデジタル信号からＧＳＭの報知情報を取得する処理に遷移する（ステップＳ５０３）。
ＣＰＵ５は報知情報取得が完了したか否かについての判定を実施する（ステップＳ５０４）。
ステップＳ５０４にて、ＣＰＵ５は、報知情報取得ができなかった場合、又は、報知情報取得が中断又は失敗して報知情報取得が完了していなかった場合、再度ＧＳＭの報知情報を取得する処理に遷移する（ステップＳ５０３に戻る）。この処理は報知情報取得が完了するまで行われる。但し、この間も一定周期毎のＷ−ＣＤＭＡ側の着信検出を継続していても良い。Ｗ−ＣＤＭＡ側の着信検出時は報知情報取得が中断されるようにしても良い。
ステップＳ５０４にて、ＣＰＵ５は、報知情報取得が完了していた場合、Ｗ−ＣＤＭＡの着信の待受け処理を停止する（ステップＳ５０５）。
その後、ＣＰＵ５は、Ｗ−ＣＤＭＡの着信の待受け処理からＧＳＭの着信の待受け処理に切り替え、ＧＳＭの着信の待受け処理を開始する（ステップＳ５０６）。
【図面の簡単な説明】
【００５１】
【図１】図１は、通信装置の構成を示すブロック図である。
【図２】図２は、ＧＳＭの着信の待受け中のＷ−ＣＤＭＡ受信タイミング関連を示す図である。
【図３】図３は、ＧＳＭの着信の待受け中のＷ−ＣＤＭＡ検出フローを示す図である。
【図４】図４は、Ｗ−ＣＤＭＡの着信の待受け中のＧＳＭ受信タイミング関連を示す図である。
【図５】図５は、Ｗ−ＣＤＭＡの着信の待受け中のＧＳＭ検出フローを示す図である。
【符号の説明】
【００５２】
１…  無線機
２…  無線機切替装置
３…  ベースバンドＬＳＩ（ＣＤＭＡ）
４…  ベースバンドＬＳＩ（ＧＳＭ）
５…  ＣＰＵ
６…  メモリ
【図１】
2006115127.tif 000003
【図２】
2006115127.tif 000004
【図３】
2006115127.tif 000005
【図４】
2006115127.tif 000006
【図５】
2006115127.tif 000007